(57)【要約】【課題】移動局に対し無線チャネルの割り当てを行う際に、システム性能を向上させ、その結果、システム容量を向上させることができる無線通信方法及び無線通信装置を提供する。【解決手段】空間分割多元接続方式を用いて複数の無線局と無線通信を行う際に、移動速度把握ステップと、優先度情報把握ステップと、チャネル割当順決定ステップと、優先度情報把握ステップで、把握された優先度に基づいて当該優先度の高い無線局はチャネル割当順が上位になるように変更するチャネル割当順調整ステップと、チャネル割当順に基づき周波数分割多元接続用のチャネルが割り当てられた無線局以降については、少なくとも、最後のチャネルについて空間分割された空間分割多元接続用のチャネルを割り当てる第２のチャネル割当ステップとを含む。【選択図】図１
2008141255.tif 000002
【特許請求の範囲】
【請求項１】
空間分割多元接続方式を用いて、複数の無線局と無線通信を行う無線通信装置における無線通信方法であって、
前記複数の無線局の移動速度を把握する移動速度把握ステップと、
前記各無線局の優先度を示す情報を把握するようにする優先度情報把握ステップと、
前記把握した移動速度に基づいて、前記複数の無線局を移動速度の速い無線局からチャネル割当を行うように、前記複数の無線局に対するチャネル割当順を決めるチャネル割当順決定ステップと、
前記優先度情報把握ステップで、前記優先度を示す情報が把握された場合、把握された優先度に基づいて、当該優先度の高い無線局については前記チャネル割当順が上位になるように、前記チャネル割当順を変更するチャネル割当順調整ステップと、
前記チャネル割当順に基づいて、周波数分割多元接続用のチャネルが割り当てられた無線局以降については、少なくとも、前記最後の周波数分割多元接続用のチャネルについて空間分割された空間分割多元接続用のチャネルを割り当てるようにする第２のチャネル割当ステップと、を含む、
ことを特徴とする無線通信方法。
【請求項２】
前記第２のチャネル割当ステップでは、最後の前記空間分割多元接続用のチャネルが割り当てられた無線局以降については、少なくとも、前記最後の周波数分割多元接続用のチャネルの直前に割り当てられた周波数分割多元接続用のチャネルについての空間分割多元接続用のチャネルを割り当てるようにする、ことを特徴とする請求項１に記載の無線通信方法。
【請求項３】
前記移動速度把握ステップは所定周期で行われ、当該所定周期は、前記無線局の移動速度の変動度が、所定の閾値よりも小さい場合に、長く設定され、所定の閾値よりも大きい場合には、短くなるように設定される、ことを特徴とする請求項１または２に記載の無線通信方法。
【請求項４】
空間分割多元接続方式を用いて、複数の無線局と無線通信を行う無線通信装置であって、
前記複数の無線局の移動速度を把握する移動速度把握手段と、
前記各無線局の優先度を把握するようにする優先度情報把握手段と、
前記把握した移動速度に基づいて、前記複数の無線局を移動速度の速い無線局からチャネル割当を行うように、前記複数の無線局に対するチャネル割当順を決めるチャネル割当順決定手段と、
前記優先度情報把握手段で、前記優先度を示す情報が把握された場合、把握された優先度に基づいて、当該優先度の高い無線局については前記チャネル割当順が上位になるように、前記チャネル割当順を変更するチャネル割当順調整手段と、
前記チャネル割当順に基づいて、周波数分割多元接続用のチャネルおよび空間分割多元接続用のチャネルを割り当てるようにするチャネル割当手段と、を備え、
前記チャネル割当手段は、前記決定されたチャネル割当順に基づいて、周波数分割多元接続用のチャネルから割り当て、最後に前記周波数分割多元接続用のチャネルが割り当てられた無線局以降については、少なくとも、前記最後の周波数分割多元接続用のチャネルについて空間分割された空間分割多元接続用のチャネルを割り当てるようにする、
ことを特徴とする無線通信装置。
【発明の詳細な説明】
【技術分野】
【０００１】
本発明は、無線通信方法及び無線通信装置に関し、特に、基地局に装備されるアダプティブアレーアンテナを利用して、空間分割多元接続（ＳＤＭＡ）を行う無線システムに用いられる無線通信方法及び無線通信装置に関する。
【背景技術】
【０００２】
従来、無線通信装置においては、移動局に対し無線チャネルの割り当てを行うが、この際、移動局の移動状況を考慮せずランダムにチャネルを割り当てていた。
また、同様に、無線チャネルの割り当てに関するものとして、「チャネル割当方式」（特許文献１参照）や「空間分割多元接続無線通信システムおよび同システムにおいてチャネルを割り当てる方法」（特許文献２参照）が知られている。
「チャネル割当方式」には、無線チャネルに対しては各々優先度を与え、各無線チャネルの干渉波電力を測定し、干渉波電力が優先度設定用一定値未満であれば前記優先度を増加させ、前記干渉波電力が前記優先度設定用一定値以上であれば前記優先度を減少させ、優先度の大きい順番にチャネルの優先順位を定め、移動局に対して無線チャネルを割り当てることが開示されている。
【０００３】
「空間分割多元接続無線通信システムおよび同システムにおいてチャネルを割り当てる方法」には、チャネルを共有する無線通信装置の各対について、距離メトリックが計算され、距離メトリックが要求指標を満たす場合、空間チャネルを割当て、満たされない場合、チャネルに再割り当てされるかハンドオーバ命令が実行されることが開示されている。
【特許文献１】特開平７−２５５０７８号公報
【特許文献２】特開平９−２１５０５２号公報
【発明の開示】
【発明が解決しようとする課題】
【０００４】
しかしながら、従来の、ランダムにチャネルを割り当てる方法、「チャネル割当方式」、及び「空間分割多元接続無線通信システムおよび同システムにおいてチャネルを割り当てる方法」においては、何れの場合も共通して、チャネルの割り当てに際し移動局の移動状況や移動局の優先度が考慮されていなかった。
【０００５】
先ず、空間分割多元接続（Ｓｐａｔｉａｌ  Ｄｉｖｉｓｉｏｎ  Ｍｕｌｔｉｐｌｅ  Ａｃｃｅｓｓ：ＳＤＭＡ）の場合、空間多元接続の移動局のグループは同じ空間チャネルを使用し、基地局に装備されるアダプティブアレーアンテナ（Ａｄａｐｔｉｖｅ  Ａｒｒａｙ  Ａｎｔｅｎｎａ：ＡＡＡ）のビームパターンにより空間的に区別され、互いの干渉を回避する。干渉回避ビームパターンを正しく形成するために、時分割デュープレクス（ＴｉＭｅ  Ｄｉｖｉｓｉｏｎ  Ｄｕｐｌｅｘ：ＴＤＤ）方式通信システムの伝搬路可逆性を利用し、基地局が受信した上りリンク信号（移動局→基地局）からＡＡＡの重みを計算し、必要に応じて補正を加え、下りリンク信号（基地局→移動局）にこの重みを乗算して送信する。
【０００６】
下りリンク信号に乗算する重みは、上りリンク信号により計算されるので、移動局が高速移動した場合、基地局が下り信号を送信する時には、移動局は既に上り信号を送信した時の位置から離れている。このため、ビームパターンにより干渉の抑圧はできなくなり、移動局の受信品質が悪化しシステムのスループットが低下する。
つまり、ランダムにチャネルを割り当てる方法においては、移動局の移動状況を考慮せずにランダムにチャネルを割り当てるので、高速移動局がある場合、干渉が発生してシステムのスループットが低下する。
【０００７】
また、「チャネル割当方式」においては、元々、各々基地局間のチャネルの割り当てを前提とした技術（即ち、一つの基地局内のＳＤＭＡを考えていない）であり、基地局間の位置が常に固定なので、一定の収束・学習時間後に各々基地局においてそれぞれ優先度が大抵安定し、チャネル割り当てが可能である。しかしながら、端末の移動等、ＳＤＭＡに関する特徴を考慮していないので、移動端末にチャネルを割り当てたときの干渉電力と、静止端末にチャネルを割り当てときの干渉電力が異なってしまい、チャネルの優先度が常に変化する。このため、優先順位の形成ができなくて、結果的に、ランダムにチャネルを割り当てる方法に相当することになる。
【０００８】
また、「空間分割多元接続無線通信システムおよび同システムにおいてチャネルを割り当てる方法」においては、端末の移動を考慮していないので、距離メトリックが要求指標を満たしても、端末の移動によって受信品質が悪くなる可能性がある。この場合、システムの性能が低下することになる。
以上は、端末の移動を考慮していないことに起因する問題であるが、上述したような問題に対して、単に端末の移動のみを考慮したチャネルの割当を行うと、さらに、以下のような問題が生じる。
すなわち、例えば、ＱｏＳ（Ｑｕａｌｉｔｙ  ｏｆ  Ｓｅｒｖｉｃｅ）が保証されている優先度の高い移動端末（ＶｏＩＰ：Ｖｏｉｃｅ  ｏｖｅｒ  Ｉｎｔｅｒｎｅｔ  Ｐｒｏｔｏｃｏｌ）が移動する場合においては、当該端末に対して空間チャネルが積極的に割り当てられてしまうと、当該空間チャネルと同じ周波数となる別の空間チャネルが割り当てられた他の端末との間において、当該端末や他の端末が移動することによって干渉してしまう可能性が伴う。
このような場合、優先度が高いにもかかわらず、適切なサービスが受けられなくなるという不具合が生じてしまう。
本発明の目的は、移動局に対し無線チャネルの割り当てを行う際に、システムの性能を向上させることができ、その結果、システムの伝送性能を向上させることができるとともに、システムの利便性をも向上させることができる無線通信方法及び無線通信装置を提供することである。
【課題を解決するための手段】
【０００９】
上記目的を達成するため、本発明に係る無線通信方法は、空間分割多元接続方式を用いて、複数の無線局と無線通信を行う無線通信装置における無線通信方法であって、前記複数の無線局の移動速度を把握する移動速度把握ステップと、前記各無線局の優先度を示す情報を把握するようにする優先度情報把握ステップと、前記把握した移動速度に基づいて、前記複数の無線局を移動速度の速い無線局からチャネル割当を行うように、前記複数の無線局に対するチャネル割当順を決めるチャネル割当順決定ステップと、前記優先度情報把握ステップで、前記優先度を示す情報が把握された場合、把握された優先度に基づいて、当該優先度の高い無線局については前記チャネル割当順が上位になるように、前記チャネル割当順を変更するチャネル割当順調整ステップと、前記チャネル割当順に基づいて、周波数分割多元接続用のチャネルが割り当てられた無線局以降については、少なくとも、前記最後の周波数分割多元接続用のチャネルについて空間分割された空間分割多元接続用のチャネルを割り当てるようにする第２のチャネル割当ステップと、を含む、ことを特徴としている。
【００１０】
また、本発明は、前記第２のチャネル割当ステップでは、最後の前記空間分割多元接続用のチャネルが割り当てられた無線局以降については、少なくとも、前記最後の周波数分割多元接続用のチャネルの直前に割り当てられた周波数分割多元接続用のチャネルについての空間分割多元接続用のチャネルを割り当てるようにする、ことが好ましい。
また、本発明は、前記移動速度把握ステップは所定周期で行われ、当該所定周期は、前記無線局の移動速度の変動度が、所定の閾値よりも小さい場合に、長く設定され、所定の閾値よりも大きい場合には、短くなるように設定される、ことが好ましい。
【００１１】
また、本発明に係る無線通信装置は、空間分割多元接続方式を用いて、複数の無線局と無線通信を行う無線通信装置であって、前記複数の無線局の移動速度を把握する移動速度把握手段と、前記各無線局の優先度を把握するようにする優先度情報把握手段と、前記把握した移動速度に基づいて、前記複数の無線局を移動速度の速い無線局からチャネル割当を行うように、前記複数の無線局に対するチャネル割当順を決めるチャネル割当順決定手段と、前記優先度情報把握手段で、前記優先度を示す情報が把握された場合、把握された優先度に基づいて、当該優先度の高い無線局については前記チャネル割当順が上位になるように、前記チャネル割当順を変更するチャネル割当順調整手段と、前記チャネル割当順に基づいて、周波数分割多元接続用のチャネルおよび空間分割多元接続用のチャネルを割り当てるようにするチャネル割当手段と、を備え、前記チャネル割当手段は、前記決定されたチャネル割当順に基づいて、周波数分割多元接続用のチャネルから割り当て、最後に前記周波数分割多元接続用のチャネルが割り当てられた無線局以降については、少なくとも、前記最後の周波数分割多元接続用のチャネルについて空間分割された空間分割多元接続用のチャネルを割り当てるようにする、ことを特徴としている。
【発明の効果】
【００１２】
本発明によれば、移動局に対し無線チャネルの割り当てを行う際に、システムの伝送性能を向上させることができ、その結果、移動局におけるデータ受信の時間が短縮されることにつながるため、システムの容量を向上させることができる。また、優先度の高い端末に対してはできるかぎり空間チャネルを割り当てないようにできるため、優先度の高い端末に対する通信品質を確実に確保することができる。
【発明を実施するための最良の形態】
【００１３】
以下、本発明を実施するための最良の形態について図面を参照して説明する。
図１は、本発明の一実施の形態に係る無線通信装置の構成を示すブロック図である。図１に示すように、無線通信装置１０は、速度推定部１１、ソート部１２、ＱｏＳ（Ｑｕａｌｉｔｙ  ｏｆ  Ｓｅｒｖｉｃｅ）制御部１３、チャネル割当部１４、周期制御部１５、及び送受信部１７を有している。なお、ここで、無線通信装置１０は、機能的に無線基地局に相当する。この無線通信装置１０は、無線基地局（無線通信装置１０）に装備されるアダプティブアレーアンテナを利用し、空間分割多元接続（ＳＤＭＡ）方式を用いて複数の無線局（移動局）と無線通信を行う無線システムに用いられる。
【００１４】
速度推定部１１は、複数（１〜Ｍ）の移動局（無線局）に対応した、複数の移動局（１〜Ｍ）移動速度推定部１６−１〜１６−Ｍを有しており、各移動局の移動速度を推定し把握する。各移動局移動速度推定部１６−１〜１６−Ｍには、ＡＡＡ送受信部１７からの受信情報が入力し、各移動局移動速度推定部１６−１〜１６−Ｍからの出力情報は、ソート部１２と周期制御部１５へ入力する。なお、ＡＡＡ送受信部１７は、従来と同様、公知の構成及び作用を有するものであり、ここでの説明を省略する。
移動速度については、移動速度情報を持つ無線通信システムであれば、移動速度情報を直接利用して推定してもよく、また、各移動局の受信信号の既知部分（例えば、トレーニングシーケンス）の位相変化から推定してもよい。更に、公知のフェージング速度（移動速度に相当）推定方法（特開平６−１３９５６号公報参照）を利用してもよい。
【００１５】
ソート部１２は、速度推定部１１により推定された各移動局の速度順にソートする。例えば、Ｍ個（＃１，＃２，…，＃Ｍ）の移動局があり、説明の便宜上、移動速度が＃１＞＃２＞…＞＃Ｍと仮定した場合、ソートの結果は、＃１，＃２，…，＃Ｍとなる。このソート部１２には、各移動局移動速度推定部１６−１〜１６−Ｍ、ＱｏＳ制御部１３、及び周期制御部１５からの出力情報が入力し、ソート部１２からの出力情報は、チャネル割当部１４に入力する。
【００１６】
ＱｏＳ制御部１３は、入力される重要移動局の情報（例えば、重要移動局の番号）に従って、重要移動局（例えば、ＶｏＩＰ（Ｖｏｉｃｅ  ｏｖｅｒ  Ｉｎｔｅｒｎｅｔ  Ｐｒｏｔｏｃｏｌ）移動局等）のソート順番を調整する。具体的には、例えば、重要な移動局を、上記速度によるソート順の一番先頭になるように調整する。重要な移動局が多数ある場合は、重要移動局を速度の順（つまり、速度によりソートされた順番）に全部先頭に位置するように調整する（図４参照）。
【００１７】
他の調整方法として、重要移動局の空間多重数、通信速度を監視し、先ず、ソート順を一つ前に調整し、空間多重数が小さくなったか或いは通信速度が改善されたかを確認して、確認の結果、改善されたらソート順番の調整を終了し、改善されなければもう一つ前の段階の調整を行うことも考えられる。その他の調整方法も考えられるが、ここでは列挙しない。なお、重要な移動局がない場合は、調整しない。
チャネル割当部１４は、ＱｏＳ制御部１３により調整されたソート結果に従って、基本チャネル（通信チャネル）と空間チャネルを各移動局に対し割り当てる。具体的な方法を以下に説明する。
【００１８】
基本チャネルがＮ個（Ｃ１０，Ｃ２０，…，ＣＮ０）があると仮定し、基本チャネルＣ１０の空間チャネル（Ｃ１０と同じ周波数、同じ時間スロットを持つ、空間的に分離されるチャネル）がＬ個（Ｃ１１，Ｃ１２，…，Ｃ１Ｌ）あると仮定する（この場合、Ｌ＋１空間多重と言う）。同様に、基本チャネルＣ２０について空間チャネルＣ２１，Ｃ２２，…，Ｃ２Ｌと表し、基本チャネルＣＮ０について空間チャネルＣＮ１，…，ＣＮＬと表わす。ここで、移動局の数Ｍ＞基本チャネルの数Ｎと仮定する。なお、Ｍ≦Ｎの場合は、基本チャネルの数が十分であり、空間チャネルの割り当てが不要になる。
【００１９】
このチャネル割当部１４は、ソート部１２によってソートされ、ＱｏＳ制御部１３により調整されたソート順番（説明の便宜上、ソート順番を＃１,…，＃Ｍの順と仮定する）に対して、基本チャネルと空間チャネルを割り当てる。チャネル割当部１４から出力されるチャネル割当制御情報は、ＡＡＡ送受信部１７に入力する。
図２は、図１のチャネル割当部による割当順番を表にして示す説明図である。図２に示すように、チャネル割当部１５は、例えば、ソートされた移動局＃１,…，＃Ｍの移動局＃１に、割当順番１のチャネルＣ１０（基本チャネル）を割り当て、移動局＃２に、割当順番２のチャネルＣ２０を割り当てる。以下、同様に、移動局＃Ｍまで、割当順番に対応してチャネル（移動局＃Ｍには割当順番Ｍのチャネル）を割り当てる。
【００２０】
周期制御部１５は、各移動局の速度の推定及びソートの周期を制御する。移動速度があまり変動しない場合は周期を長く、移動速度の変動が激しい場合は周期を短く、調整する。この周期制御部１５には、各移動局移動速度推定部１６−１〜１６−Ｍからの出力情報が入力し、周期制御部１５からの出力情報は、各移動局移動速度推定部１６−１〜１６−Ｍ、及びソート部１２に入力する。
【００２１】
図３は、図１の周期制御部の制御処理の流れを示すフローチャートである。図３に示すように、先ず、初期周期で速度推定及びソートを行う（ステップＳ１０１）。次に、現在推定速度から前回推定速度を減算して速度差（速度差＝現在推定速度−前回推定速度）を得た（ステップＳ１０２）後、得られた速度差が閾値１より大きい（速度差＞閾値１）か否かを判断する（ステップＳ１０３）。
【００２２】
ステップＳ１０３での判断の結果、速度差が閾値１より大きい（ｙｅｓ）場合、周期に係数Ｒ１（Ｒ１＜１）を乗算（周期×Ｒ１）し、即ち、周期を短くして（ステップＳ１０４）、短くした周期が下限値より小さい（周期＜下限値）か否かを判断する（ステップＳ１０５）。ステップＳ１０５での判断の結果、周期が下限値より小さい（ｙｅｓ）場合、周期を下限値に設定（周期＝下限値）した（ステップＳ１０６）後、周期が下限値より小さくない（ｎｏ）場合、その周期のまま、ステップＳ１０２へ戻る。
一方、ステップＳ１０３での判断の結果、速度差が閾値１より大きくない（ｎｏ）場合、速度差が閾値２より小さい（速度差＜閾値２）か否かを判断する（ステップＳ１０７）。
【００２３】
ステップＳ１０７での判断の結果、速度差が閾値２より小さい（ｙｅｓ）場合、周期に係数Ｒ２（Ｒ２＞１）を乗算（周期×Ｒ２）し、即ち、周期を長くして（ステップＳ１０８）、長くした周期が上限値より大きい（周期＞上限値）か否かを判断する（ステップＳ１０９）。ステップＳ１０９での判断の結果、周期が上限値より大きい（ｙｅｓ）場合、周期を上限値に設定（周期＝上限値）した（ステップＳ１１０）後、周期が上限値より大きくない（ｎｏ）場合、その周期のまま、ステップＳ１０２へ戻る。
一方、ステップＳ１０７での判断の結果、速度差が閾値２より小さくない（ｎｏ）場合、その周期のまま、ステップＳ１０２へ戻る。
【００２４】
ここで、初期周期での速度推定及びソート周期、閾値１、閾値２、Ｒ１（Ｒ１＜１）、Ｒ２（Ｒ２＞１）等は、具体的にシステムを構成する際の要求に従って設定するのが望ましい。一例として、初期周期は１〜２秒、閾値１は５〜１０ｋＭ／ｈ、閾値２は１〜２ｋＭ／ｈ、Ｒ１は０.５〜０.９、Ｒ２は１.１〜１.５、上限値は１〜１０分、下限値は０.０５〜０.３秒として設定する。
【００２５】
図４は、図１のＱｏＳ制御部による調整を説明し、（ａ）は調整処理の流れを示すフローチャート、（ｂ）は調整の具体例である。図４（ａ）に示すように、先ず、ＱｏＳ制御部１３に重要移動局の有・無や番号等の各種情報が入力する（ステップＳ２０１）と、重要移動局の情報があるか否かを判断する（ステップＳ２０２）。判断の結果、重要移動局の情報がない（ｎｏ）場合、ＱｏＳ制御部による調整を行わず、重要移動局の情報がある（ｙｅｓ）場合、移動速度順に重要移動局がソート順番の先頭になるように調整し（ステップＳ２０３）、その後、処理を終了する。なお、ＱｏＳ制御部による調整を行わない場合には、移動速度順のソート順番にてチャネル割当が行われることになる。
つまり、図４（ｂ）に示すように、移動速度によるソート結果に対し、ＱｏＳによる調整を行って、移動速度順に重要移動局（＃Ａ,＃Ｂ）がソート順番の先頭になるようにする。なお、図４（ｂ）において、＃１,＃２，＃３,＃４は一般移動局を表し、＃Ａ,＃Ｂは重要移動局を表す。
【００２６】
上述したように、チャネル割当に際し、端末（移動局）の移動速度順にソートし、ＱｏＳ制御部１３によりソート結果を調整し、チャネル割当部１４は、調整されたソート順に従って、順次、基本無線チャネルを割り当て、基本無線チャネルが全部割り当てられたら、最後に割り当てられた基本無線チャネルの空間チャネルを次の移動局に割り当て、当該基本無線チャネルの空間チャネルが全部割り当てられたら、基本無線チャネルが割り当てられる移動局の中から、ソート順番が二番目に大きい移動局に割り当てられる基本無線チャネルの空間チャネルを次の移動局に割り当て、この過程を繰り返し、全部の移動局にチャネルを割り当てる。
【００２７】
ここで、基本無線チャネル（基本チャネル）とは、利用できるキャリア（周波数）、タイムスロットを指し、空間チャネルとは、上記基本チャネルと同じ周波数、同じタイムスロットを用い、基地局に装備されるＡＡＡのビームパターン（アンテナパターン）により空間多重が行われるチャネルを指す。基本チャネルであっても、空間多重を行うと空間チャネルになる。しかし、基本チャネルにおいて空間多重が行われ、空間チャネルとなっても、説明の便宜上、特に区別せず基本チャネルと称する。
【００２８】
図５は、本発明のチャネル割当方法とランダム割当方法とを比較した結果をグラフで示す説明図である。ここでは、基本チャネル数を８個（Ｎ＝８）、空間チャネル数を２個（Ｌ＝２）、移動局の移動速度を０ｋｍ／ｈ、４０ｋｍ／ｈ半−半分布として、スループットの比較を行っている。
本発明のチャネル割当方法の効果を検証するため、実際のフィールド試験データをベースに、上記条件下におけるシステムのスループット向上効果を、ランダム割当方法と比較して示す。図５に示すように、ランダム割当方法における性能を１とした場合、本発明のチャネル割当方法におけるスループットは、ランダム割当方法に対し最大約２２％の改善（スループット比：約１．２２）が得られたことが分かる。
【００２９】
上述したように、この発明に係る無線通信装置１０は、複数の無線局の移動速度を把握する移動速度把握手段である速度推定部１１と、各無線局の優先度を把握する優先度把握手段であるＱｏＳ制御部１３と、把握した移動速度に基づいて、複数の無線局を移動速度順に分類する分類手段であるソート部１２と、分類した移動速度順に基づいて、周波数帯域幅方向の通信チャネルを割り当てるようにし、かつ、把握した無線局の優先度に基づいて、周波数帯域幅方向の通信チャネルと同じ周波数となる空間分割された空間チャネルを割り当てるようにするチャネル割当手段であるチャネル割当部１４とを備えており、チャネル割当部１４は、移動速度の速い無線局から順に、周波数帯域幅方向の通信チャネルから割り当てていき、周波数帯域幅方向の通信チャネルを全て割り当てた場合には、最後に割り当てた通信チャネルと同じ周波数となる、空間分割された第１の空間チャネルを割り当てて、把握した優先度に基づいて、第１の空間チャネルと同じ周波数となる別の第２空間チャネルを割り当てるようにする。
【００３０】
また、この発明に係る無線通信方法は、複数の無線局の移動速度を把握する移動速度把握ステップと、各無線局の優先度を把握する優先度把握ステップと、把握した移動速度に基づいて、複数の無線局を移動速度順に分類する分類ステップと、分類した移動速度順に基づいて、移動速度の速い無線局から順に、周波数帯域幅方向の通信チャネルから割り当てるようにする第１のチャネル割当ステップと、周波数帯域幅方向の通信チャネルを全て割り当てた場合には、最後に割り当てた通信チャネルと同じ周波数となる、空間分割された第１の空間チャネルを割り当てるようにする第２のチャネル割当ステップと、第１の空間チャネルを割り当てた場合には、把握した優先度に基づいて、第１の空間チャネルと同じ周波数となる別の第２空間チャネルを割り当てるようにする第３のチャネル割当ステップと、を含んでいる。
【００３１】
この発明に係る無線通信方法において、第３のチャネル割当ステップでは、優先度の低い端末から第２空間チャネルを割り当てるようにしている。また、移動速度把握ステップは所定周期で行われ、当該所定周期は、無線局の移動速度の変動度が、所定の閾値よりも小さい場合に、長く設定され、所定の閾値よりも大きい場合には、短くなるように設定されている。
このように、ＳＤＭＡ無線通信システムにおけるチャネル割当に際し、端末（移動局）の移動速度順にソートし、基本チャネルから順番にチャネルを割り当てていき、できる限り通信速度の遅い端末同士に空間チャネルを割り当てるようにすると共に、端末の優先度（ＱｏＳ）に基づいて、空間チャネルの割り当てパターン（割り当て順）を変えている。
【００３２】
つまり、基本チャネルと空間チャネルを適切に移動局に割り当てることで、システムの性能、例えば、システムのスループットを向上させることができ、この結果、端末の通信時間が短くなり、これにより、システムの容量を向上させることができる。また、重要な移動局において、安定且つ高速な通信環境を提供することができるので、ＱｏＳを保証することができる。
なお、本発明は、上述した実施の形態により説明したが、この実施の形態に限定されるものではない。従って、本発明の趣旨を逸脱することなく変更態様として実施するものも含むものである。
【図面の簡単な説明】
【００３３】
【図１】本発明の一実施の形態に係る無線通信装置の構成を示すブロック図である。
【図２】図１のチャネル割当部による割当順番を表にして示す説明図である。
【図３】図１の周期制御部の制御処理の流れを示すフローチャートである。
【図４】図１のＱｏＳ制御部による調整を説明し、（ａ）は調整処理の流れを示すフローチャート、（ｂ）は調整の具体例である。
【図５】本発明のチャネル割当方法とランダム割当方法とを比較した結果をグラフで示す説明図である。
【符号の説明】
【００３４】
１０  無線通信装置
１１  速度推定部
１２  ソート部
１３  ＱｏＳ制御部
１４  チャネル割当部
１５  周期制御部
１６−１〜１６−Ｍ  移動局（１〜Ｍ）移動速度推定部
１７  ＡＡＡ送受信部
【図１】
2008141255.tif 000003
【図２】
2008141255.tif 000004
【図３】
2008141255.tif 000005
【図４】
2008141255.tif 000006
【図５】
2008141255.tif 000007